(57)【要約】【課題】エンドユーザーが、所望するハンドルを本来的なプッシュ・プル仕様から片面的仕様態様に切換えたい場合に、外部から操作部材または操作部材としてのラッチを回転操作して、簡単にプッシュ・プル仕様から片面的仕様に切換えることができること。【解決手段】錠箱の前板に操作部材を軸支し、この操作部材に制御手段を一体的に設け、この制御手段に回転制御される作動片を前記前板の裏側に軸支し、さらに、連係手段を介して連動すると共に、障害部分を有する可動障害片を前板に設けた固定支軸を介して回転可能に支持し、扉のハンドルの仕様態様を変換する際に、前記操作部材を外部から回転操作すると、前記制御手段及び作動片を介して、前記可動障害片の障害部分の位置が変位する錠前の切換え機構。【選択図】図１
2007186919.tif 000002
【特許請求の範囲】
【請求項１】
錠箱の前板に操作部材を軸支し、この操作部材に制御手段を一体的に設け、この制御手段に回転制御される作動片を前記前板の裏側に軸支し、さらに、連係手段を介して連動すると共に、障害部分を有する可動障害片を前板に設けた固定支軸を介して回転可能に支持し、扉のハンドルの仕様態様を変換する際に、前記操作部材を外部から回転操作すると、前記制御手段及び作動片を介して、前記可動障害片の障害部分の位置が変位する錠前の切換え機構。
【請求項２】
請求項１に於いて、錠前はプシュ・プル錠であり、錠箱内には、ラッチを解錠状態にするための作動片を含むラッチの係止解除機構と、前記作動片と係合する摺動体と、該摺動体をハンドルの操作力により、かつ、バネのバネ力に抗して移動させることができるように錠箱内に位置する押圧片とを備えていることを特徴とする錠前の切換え機構。
【請求項３】
請求項１に於いて、操作部材は回転可能に設けられたラッチ３０Ａであり、該ラッチに制御手段２２が設けられていることを特徴とする錠前の切換え機構。
【請求項４】
請求項３に於いて、操作部材を外部から操作する時、前板７から突出する操作部材の操作部分を多少引っ張った状態で回転操作することを特徴とする錠前の切換え機構。
【発明の詳細な説明】
【技術分野】
【０００１】
本発明は錠前の切換え機構に関し、特に、所望する扉のハンドルを本来的なプッシュ・プル仕様から片面的仕様態様に切換えることができる錠前の切換え機構に関する。
【背景技術】
【０００２】
特許文献１、特許文献２には、「扉の取付け場所（例えばドアクローザが必要ない室内扉）を考慮し、ユーザーが錠箱の前板から見える操作部材の操作部を操作すると、例えばプッシュ・プル仕様から片面的仕様（プル仕様、又はプッシュ仕様）へと切換るプッシュ・プル錠の具体的構成」が開示されている。
【０００３】
これらの発明は、例えばトイレ、寝室等の室内扉の操作ハンドルをプッシュして当該室内側（向こう側）へ勢い良くプッシュして開扉する場合、また、勝手口の扉を室内側の操作ハンドルを操作して室外側へとプッシュして開扉する場合に於いて、ドアクローザが建具に取付けられていないときに有益である。
その理由は、プッシュ・プル仕様から片面的仕様（例えばプル仕様）に切換えると、扉を開ける場合には、一旦手前側にプル操作して扉を開ける必要があるから、扉を向こう側或いは室外側へ勢い良く開扉する事態（お年より等がバランスを崩すこと）を極力防ぐことができるからである。
【特許文献１】特開２００４−２１１５２９号公報
【特許文献２】特開２００４−２２５３８４号公報
【発明の開示】
【発明が解決しようとする課題】
【０００４】
本発明の第１の目的は、エンドユーザーが、所望するハンドル（例えば内側のハンドル）を本来的なプッシュ・プル仕様から片面的仕様態様に切換えたい場合に、外部から操作部材または操作部材としてのラッチを回転操作して、簡単にプッシュ・プル仕様から片面的仕様（例えばプル仕様）に切換えることができることである。第２の目的は、プシュ・プル錠に適合することである。第３の目的は、錠箱内のスペースを有効的に活用することである。第４の目的は、切換え操作が簡単であることである。
【課題を解決するための手段】
【０００５】
本発明の錠前の切換え機構は、錠箱６の前板７に操作部材２１（３０Ａ）を軸支し、この操作部材に制御手段２２を一体的に設け、この制御手段に回転制御される作動片２６（２６Ａ）を前記前板の裏側に軸支し、さらに、連係手段を介して連動すると共に、障害部分４５を有する可動障害片４０（４０Ａ）を前板に設けた固定支軸４１を介して回転可能に支持し、扉のハンドルの仕様態様を変換する際に、前記操作部材を外部から回転操作すると、前記制御手段及び作動片を介して、前記可動障害片の障害部分の位置が変位することを特徴とする。
【発明の効果】
【０００６】
以上の説明から明らかなように、本発明にあっては、次に列挙するような効果がある。
（１）エンドユーザーが、所望するハンドル（例えば内側のハンドル）を本来的なプッシュ・プル仕様から片面的仕様態様に切換えたい場合に、外部から操作部材を操作して、簡単にプッシュ・プル仕様から片面的仕様（例えばプル仕様）に切換えることができる。
（２）請求項２に記載の発明は、プシュ・プル錠に適合する。
（３）請求項３に記載の発明は、部品点数を減らすことができる。
（４）請求項４に記載の発明は、簡単に切換え操作することができる。
【発明を実施するための最良の形態】
【０００７】
まず、図１乃至図１１を参照にして、本発明の第１実施例を説明する。
【０００８】
（ａ）第１実施例−図１
図１は、プッシュ・プル錠の一例を示す概略説明図である。図１に於いて、Ｘは錠箱の上部側空間に配設されたラッチの係止解除機構、Ｙは錠箱の下部側空間に配設されたサムターン錠の締め出し防止機構、１は戸枠、２は受け金具、３は受け金具の縁、４は扉、５は扉の自由端部内に設けたプッシュ・プル錠、６は錠箱、７は錠箱の前板、８はラッチ枠部である。
【０００９】
なお、錠箱６内は、開扉の時に不注意によりラッチを施錠した状態で扉を閉めた時にラッチの施錠状態が自動的に解錠状態となるサムターン錠の締め出し防止装置Ｙとが設けられているが、該締め出し防止装置Ｙは発明の特定（限定）要件ではない。
【００１０】
（ｂ）図２−錠箱６
次に、図２は錠箱６の構成を示す。また、図３はラッチ枠部８、ラッチ３０、ラッチ作動杆３３等を示す。これら図２、図３に於いて、６ａはケース身、６ｂはケース蓋、７は前板（裏板７ａとフロント７ｂ）、８はラッチ枠部、９は前板７の中央部に形成されたラッチ用開口窓である。
【００１１】
前記ラッチ枠部８は、図３で示すように、上壁８ａと、下壁８ｂ、後壁８ｃとを有する端面コ字型形状である。そして、前記上壁８ａにはラッチの係止解除機構Ｘを構成する第１の作動片（ラッチ用の第１仮施錠片）用の第１受入れ孔１０が形成され、一方、下壁８ｂには、不番の第２施錠片用の第２受入れ孔１１が形成されている。
【００１２】
また、第１・第２受入れ孔１０，１１は、開口窓９側から前記後壁８ｃに向かって形成された水平長孔である。またラッチ枠部８の後壁８ｃの一側壁には、上下方向の一部に作動杆３３用の切欠部１２が形成されている。
【００１３】
図２に戻って、１４ａは前板７の開口窓９寄りの部位に形成された操作部材用支持開口で、この支持開口１４ａの直ぐ後方（錠箱の前板７付近の内壁面）には、所要の間隙を有して垂直支板１５が設けられている。この垂直支板１５には、操作部材用の貫通孔１６が形成されている。本実施例の垂直支板１５は、その前面で制御板２２を、一方、裏面で操作部材用の復帰バネ２５の一端部をそれぞれ受ける機能を有している。
【００１４】
また、前板７の支持開口１４ａの上方部位には、可動障害片４０用の筒状支持体１７を装着するための複数個の取付け孔１４ｂが形成されている。
【００１５】
複数個の取付け孔１４ｂの全部には符号を付さないが、例えばフロント７ｂ側に形成された支軸４１用の取付け小孔（メネジ小孔）１４ｂ、裏板７ａに形成された筒状支持体用の嵌合孔１４ｃ、筒状支持体１７をフロント７ｂの裏面に固定するための取付け小孔（メネジ小孔）等が含まれる。
【００１６】
したがって、筒状支持体１７は、図２で示すように、裏板７ａの嵌合孔に嵌合した状態で、かつ、複数個の固着具１８を介して前板７の裏側に固定されている。
【００１７】
また、１９は前記筒状支持体１７を基準にして上下に設けられた第１摺動体用上方水平案内部、２０は錠箱６の上部側に形成された操作ハンドルに連動する、或いは操作ハンドルの水平軸に一体的に固定された押圧片２８，２９用の矩形状窓孔である。
【００１８】
その他、特に符号を付さないが、錠箱６の下方隅角部にはリリーススライダー用の下方水平案内部、サムターンダルマ用軸孔がそれぞれ形成されている。なお、錠箱６には不番の固定軸が複数個配設されている。
【００１９】
（ｃ）ラッチなど−図３
次に、図３に於いて、３０はラッチ（実施例では反転ラッチ）、３０ａは開口縁３と摺接する衝止面、３０ｂ，３０ｂは回転軸機能、係合機能等を有する突起部、３０ｃ，３０ｃはラッチの後端部、３１は後端部に形成されバネ端収納部である。
【００２０】
また、３２はラッチバネで、この一端部３２ａは、ラッチの作動杆３３の端面Ｌ型状先端部３４に圧接し、一方、その他端部３２ｂはラッチ枠部８の後壁８ｃ内面に圧接する。
【００２１】
また、３３はラッチ作動杆、３４はラッチ作動杆の先端部、３４ａはラッチバネ３２の一端部３２ａを受けるバネ端支持壁、３４ｂは支持壁３４ａと交差する先端部一側壁、３５はラッチ枠部８の切欠部１２に案内される摺動壁である。
【００２２】
しかして、前記バネ端支持壁３４ａの内壁面と後端部の前壁面との間には、バネ収納空間３６が設けられている。また前記後端部には、その後壁面の上端部寄りの部位から底壁面に向かって傾斜状の係合面３７ａを有する係合切欠部３７が形成されている。
【００２３】
（ｄ）前板、操作部材、可動障害片等−図４、図５
図４は操作部材（入力手段）２１、制御板（制御手段）２２、従動片（作動片）２６等を示し、一方、図５は制御板２１によって制御されるように筒状支持体１７に嵌合支持された可動障害片４０、可動障害片用固定支軸４１等を示す。
【００２４】
まず、図４を参照にして、入力手段２１と制御手段２２を説明する。２１は入力手段としての操作部材である。この操作部材２１は、本実施例ではラッチ３０とは別個に前板７に設けられており、前板７の前面に突出状態に位置するボタン状の摘み部分（操作部分）２１ａと、該摘み部分２１ａの裏面から棒状に延びる回転軸部分２１ｂとから成り、前記回転軸部分２１ｂは前板７の開口１５、制御板２２の軸孔２３及び垂直支板１５の貫通孔１６をそれぞれ貫通する。
【００２５】
そして、貫通孔１６を貫通した回転軸部分２１ｂの端部には、バネ端受け部材２４が適宜に設けられている。本実施例のバネ端受け部材２４は、リング状の座金２４ａと、回転軸部分２１ｂの端部に螺合する止め具（ナット）２４ｂから成る。
【００２６】
しかして、任意形状の制御板２２は、垂直支板１５の前面に位置するように回転軸部分２１ｂの中心部（中心部寄りの部位も含む）に軸孔２３を介して固定されている。任意形状の制御板２２は、外周の辺が任意の三角形、任意の四辺形、ひし形、台形、任意の多角形、楕円形等に形成され、少なくとも一つの押圧部分２２ａを有している。
【００２７】
そこで、本実施例では、任意の六角形（正多角形でない意味）を採用している。ここで説明の便宜上、図８を基準にすると、制御板２２は、軸孔２３を通る横の長さＬ１よりも縦の長さＬ２の方が長いので、制御板２２が所定位置で、かつ、所要量回転すると、非正六角形の真上と真下にそれぞれ位置する山形状押圧部分２２ａのいずれか一つが、従動片２６の下端部を押圧することができる。
【００２８】
２５は垂直支板１５とバネ端受け部材２４との間に位置するように回転軸部分２１ｂに装着された操作部材用の復帰バネで、該復帰バネ２５は、操作部材２１の摘み部分２１ａを指で摘んで、例えば図１０の矢印Ａ方向へ引いた場合には収縮する。
【００２９】
次に、図５を参照にして、作動手段２６と可動障害片４０を説明する。作動手段の一例である従動片２６は、例えば図６で示すように、制御板２２と可動障害片４０との間に回動自在に軸支されている。長板状の従動片２６は支持軸２７用の中心孔２６ａを有し、また、該中心孔２６ａよりも上方の他端部には連係手段としての係合長孔２６ｂを有している。本実施例の従動片２６は、前板７の裏板７ａに添設状態に配設され、かつ、制御板２２に制御されると、支持軸２７を支点に所定量回転する。
【００３０】
一方、可動障害片４０は、筒状支持体１７に嵌合支持され、かつ、前板７の取付け孔１４ｂを貫通する固定支軸４１に回転自在に支持されている。
【００３１】
しかして、４２は固定支軸４１に螺合する外端部分、４３は外端部分に連設する内端部分、４４は外端部分４２と内端部分４３との間に固定的に設けられ、かつ、下端部に連係手段としての突起ピン４４ａを有する係合板、４５は前記内端部分４３の外周に突出形成された障害突起である。前記突起ピン４４ａは、図６で示すように、従動片２６の係合長孔２６ｂに入り込んでいる。
【００３２】
（ｅ）摺動体４６．４７など−図１、図７
次に、図１を参照にすると、４６，４７は錠箱６の上方の収納空間に水平状態に配設された複数個の摺動体である。また、４８は摺動体４６，４７用の復帰用バネである。さらに、２８、２９は、摺動体４６，４７を押圧するハンドル側の複数個の押圧片である。これらの部材は、図示しない内外ハンドルとの関係で複数個存在する。
【００３３】
ここでは、説明の便宜上、外枠状の摺動体を第１摺動体４６、一方、第１摺動体内に組み込まれた内枠状の摺動体を第２摺動体４７とする。
【００３４】
また、外側の操作ハンドルに連動するあるいは一体的な部材を上方の押圧片２８とし、一方、内側の操作ハンドルに連動するあるいは一体的な部材を下方の押圧片２９とする。上下の押圧片２８，２９は、錠箱６の窓部２０を介して該錠箱６内に位置する。
【００３５】
ここで図７を参照にして、第１・第２摺動体４６，４７の構成を詳細に説明する。
まず、外枠の第１摺動体４６は、複数個の係合突起を介して錠箱６の上方水平案内部１６に水平動自在に設けられている。しかして、４６ａは上壁部、４６ｂは下壁部、４６ｃは上下壁部と直交する後壁部、４６ｄは後壁部に対して所要の空間を有して対向する前壁部である。前記後壁部４６ｃの内壁面は前述した上下の押圧片２８，２９を受ける受け板の機能を有する。また前記下壁部４６ｂの一部には揺動レバー５５用の切欠部５１が形成されている。
【００３６】
さらに、前記前壁部４６ｄは摺動体用付勢バネ４８の一端部を受ける機能を有する。しかも、前壁部４６ｄは上下壁部４６ａ，４６ｂの先端部寄りの部位に設けられていると共に、ケース身６ａの幅広側壁側には、第２摺動体４７の移動を許容する図示しない切欠部を有している。
【００３７】
次に、内側の第２摺動体４７は、横長のコ時型形状に形成され、可動障害片４０及び上下の押圧片２８，２９にそれぞれ関連付けられて（可動障害片４０の障害突起４５に対向可能、押圧片２８，２９に押されるあるいは係合する意味）外枠第１摺動体４６内に水平動自在に設けられている。
【００３８】
しかして、４７ａは内側の上壁部、４７ｂは内側の下壁部、４７ｃは上下壁部４７ａ，４７ｂと直交する内側の後壁部、４７ｄは後壁部と対向するバネ受け用隔壁、４７ｅは可動障害片４０の障害突起（ストッパー）４５と関係する先端部である。
また、前記内側の上下壁４７ａ，４７ｂの先端部寄りの部位には、逃し用切欠部５３が形成され、また前記内側の下壁４７ｂの一部には、第１作動片用の切欠部５１と同様の内側切欠部５４が形成されている。さらに、前記バネ受け用隔壁４７ｄは前述した摺動体用付勢バネ４８の他端部を受ける。したがって、摺動体用付勢バネ４８は、第１及び第２摺動体４６，４７内に組み込まれている。
【００３９】
（ｆ）作動片５５など−図１
次に、図１を参照にして第１の作動片５５等について説明する。５５は第２固定軸に軸支された第１の作動片（本実施例では揺動レバー）である。この作動片５５の上方先端部は、第１及び第２摺動体４６，４７にそれぞれ係合している。
【００４０】
一方、上方先端部（アーム部）に連設する下方部分には不番のバネ受け部が形成されている。さらに、補足説明すると、上方先端部には係合突起５６ａが設けられ、この係合突起５６ａは、ラッチ３０に直接係合する第２の作動片５６の上辺に係合している。第２の作動片５６は、長板状の係合片であり、その後端部は第１摺動体４６の後壁４６ｃの下端部に係合している。なお、ラッチ３０を仮に施・解錠するための第１の作動片５５及び第２の作動片５６は、不番の各固定軸にそれぞれ軸支されていると共に、不番のバネで適宜に付勢されている。錠前の細部的事項の説明は割愛する。
【００４１】
（ｇ）作用−図８乃至図１１
ここでは、図８乃至図１１を参照にして、本発明の主要部に関係がある作用を説明する。
【００４２】
まず、図８並びに図９は、プッシュ・プル錠５が、本来的なプッシュ・プル仕様から片面的仕様態様（プル・プル仕様）に切換ったことを示す。図１０で示すように、本実施例ではラッチ３０とは別個の操作手段２１を操作する者の手前側（矢印Ａ方向）に引いて、かつ、そのままの状態で操作手段２１を所定量（例えば矢印Ｂ方向へ３６０程度）回転する。
【００４３】
図１１は、仕様態様の切換え時、制御板２２が従動片２６を介して可動障害片４０を所定方向へ回し、その結果、可動障害片４０の障害突起４５が位置変位することを示す。
例えば図１０で示すように、本来的なプッシュ・プル仕様から片面的仕様態様（プル仕様）に切換える際には、まず、操作部材２１の摘み部分２１ａを指で摘んで、矢印Ａ方向へ引く（図４参照）。前述したように、操作部材２１を手前側に多少引っ張ると、復帰バネ２５は収縮すると共に、制御板２２は従動片２６の真下に位置する。付言すれば、制御板２２は、初期位置では復帰バネ２５のバネ力が作用しているために従動片２６よりも後方に位置している。
【００４４】
次に、操作部材２１を手前側に引っ張った状態を維持しながら、矢印Ｂ方向へ回す。本実施例では、制御板２２を所定方向へ回して行くと、下方に位置していた少なくとも一つの山形状押圧部分２２ａが従動片２６の下端部を押圧する。制御板２２の押圧部分２２ａが従動片２６の下端部を押圧すると、従動片２６は支持軸２７を支点に回転する。したがって、可動障害片４０は、連係手段２６ｂ、４４ａを介して所要量回転する。
【００４５】
このように可動障害片４０が制御板２２及び従動片２６を介して回転すると、可動障害片４０の障害突起４５は、図８並びに図９で示すように、第２摺動片４７の先端部４７ｅの前面に断ち塞がるので、第２摺動体４７の移動方向は一方向だけ（内側ハンドルはプルのみ）に成る。
【実施例】
【００４６】
第１実施例では、操作部材２１を外部から操作する時、前板７から突出する操作部材の摘み部分２１ａを多少引っ張った状態で回転操作するが、操作部材を手前に引くことは発明の本質的事項ではない。後述の第２実施例のように、操作部材としてのラッチをその位置で３６０度回転させる、あるいは設計如何によっては、操作部材としてのラッチを第１実施例のように多少引っ張った状態で回転操作するが容易想到可能だからである。
【００４７】
また第１実施例では、複数個の摺動体４６，４７を備えた示すプシュ・プル錠（図１）に適用したが、このような構成のプシュ・プル錠に限定するものではない。
【００４８】
例えば、特に図示しないが、ハンドルをプル又はプッシュすると、錠箱内に突出するハンドル側の揺動片の駆動力により、かつ、付勢手段の付勢力に抗して水平移動する同調部材（摺動体）、この同調部材に連動するようにラッチロッドに案内される可動枠部材内に組み込まれた可動ストッパー（作動片）、この可動ストッパーを介して可動枠部材の規制を解消するラッチ用仮施錠の解錠機構を備えたプッシュ・プル錠にも、適宜に適用することができる（特許公開２００２−１２９７９６号公報記載の実施例参照）。
【００４９】
次に、図１２乃至図１７を参照にして本発明の第２実施例について説明する。なお、第２実施例の説明にあたって、第１実施例と同一の部分には同様の符号を付して重複する説明を省略する。
【００５０】
第２実施例が第１実施例と主に異なる事項は、操作部材は前板７に回転可能に設けられたラッチ３０Ａであり、該ラッチ３０Ａの首部或いは内端部に制御手段２２を一体的に設けている点である。付言すれば、第２実施例は、部品点数を減らすこと、子供に簡単に悪戯されないこと、錠箱のスペースを有効的に活用すること等を発明の目的として、ラッチ３０Ａとは別個に操作部材を設けていない。
【００５１】
図１２は図１と同様に錠前の一例であるプッシュ・プル錠に適用した説明図である。図１４及び図１５はラッチ３０Ａの具体的構成を示す。
【００５２】
さて、操作部材兼用のラッチ３０Ａは、４つの部品から成る。すなわち、７１はラッチ先端部、７２はラッチ後端部、７３はラッチ先端部にラッチ後端部を連結する軸状の連結手段、７４はラッチ後端部内に位置するように前記軸状連結手段７３に巻装されたラッチ先端部用復帰バネである。
【００５３】
しかして、この実施例では、前記ラッチ先端部７１のラッチ部分７１ａに連設する筒状の首部７１ｂの端部に第１実施例と同様の制御板２２が一体（一体成形も含む）に設けられている。そして、符号７５はラッチ先端部７１の後部に形成された嵌合穴、７６は嵌合穴７５を形成する内壁面に形成されたメネジである。
【００５４】
また、ラッチ後端部７２は、前記嵌合穴７５に嵌合する筒状突起７７、バネ端収納部３１及び受け機能を有する上下の突起３０ｂをそれぞれ有している。
【００５５】
上記構成に於いて、ラッチ３０Ａ（第１実施例の操作部材２１に相当）を外部から操作する時、前板７から突出するラッチ先端部７１のラッチ部分７１ａ（操作部材の摘み部分２１ａに相当）を指で摘み、矢印Ａ方向へ多少引っ張った状態で、３６０度回転操作する。
【００５６】
そうすると、図１６で示すように、制御手段２２及び作動片２６を介して、可動障害片４０の障害部分４５の位置が変位する。したがって、図８並びに図９で示すように、第２摺動片４７の先端部４７ｅの前面に断ち塞がるので、第２摺動体４７の移動方向は一方向だけ（内側ハンドルはプルのみ）に成る。
【００５７】
なお、第１実施例及び第２実施例では、作動片２６は単純なリンク形状であるが、図１８で示すような作動片２６Ａに設計変更をしても良い。この作動片２６Ａは、中心孔２６ａを基準として、その下端部を長板状に形成し、一方、上端部を扇状に形成して、該上端部の外周（中心孔２６ａの同心円上）に連係手段としての係合歯２６ｂ（第１実施例の係合長孔に相当）を形成している。
【００５８】
このように作動片２６Ａを設計変更した場合には、可動障害片４０Ａは、前記作動片２６Ａの係合歯２６ｂに係合する歯車４４Ａと、該歯車４４Ａの外周に設けた障害突起４５とから成るように構成する。このように作動片及び可動障害片を設計変更しても、本発明の本質的事項に影響はない。
【図面の簡単な説明】
【００５９】
図１乃至図１１は、本発明の第１実施例を示す各説明図。
図１２乃至図１７は、本発明の第２実施例を示す各説明図
【図１】扉の閉戸時における錠前の一例を示す概略説明図。
【図２】ケース身を主とした錠箱の説明図。
【図３】ラッチ、ラッチ枠部、作動杆等の説明図。
【図４】主要部を構成する操作部材、制御板等の概略説明図。
【図５】主要部を構成する従動片、可動障害片等の概略説明図。
【図６】主要部の拡大概略断面説明図。
【図７】摺動体、付勢バネ等の概略説明図。
【図８】本来的な仕様態様（プッシュ・プル仕様）から片面的仕様態様（プル・プル仕様）の状態に切換った状態の説明図。
【図９】本来的な仕様態様（プッシュ・プル仕様）から片面的仕様態様（プル・プル仕様）の状態に切換った状態の説明図。
【図１０】操作手段を操作する場合の概略説明図。
【図１１】制御板、従動片等の作用の一例を示す概略説明図。
【図１２】図１と同様の概略説明図。
【図１３】主要部を構成する操作部材（ラッチ）、作動片等の概略説明図。
【図１４】操作部材としてのラッチの分解説明図。
【図１５】ラッチの概略断面説明図。
【図１６】図１０と同様に操作手段を操作する場合の概略説明図。
【図１７】図９と同様に本来的な仕様態様（プッシュ・プル仕様）から片面的仕様態様（プル・プル仕様）の状態に切換った状態の説明図。
【図１８】第１実施例及び第２実施例の要部の設計変更を示す説明図。
【符号の説明】
【００６０】
５…錠前（プッシュ・プル錠）、６…錠箱、７…前板、１４ａ…支持開口、１４ｂ…取付け小孔、１５…垂直支板、１７…筒状支持体、１８…固着具、１９…水平案内部、２０…窓孔、２１…操作部材、２１ａ…摘み部分、２１ｂ…回転軸部分、２２…制御手段（制御板）、２３…軸孔、２２ａ…制御板の押圧部分、２４…バネ端受け部材、２５…操作部材用の復帰バネ、２６，２６Ａ…作動片（従動片）、２６ａ…中心孔、２６ｂ…連係手段（係合長孔、係合歯）、２７…支持軸、２８，２９…押圧片、３０…ラッチ、３０Ａ…操作手段としてのラッチ、４０、４０Ａ…可動障害片、４２…外端部分、４３…内端部分、４５…障害部分（障害突起）、４６……第１摺動体、４７…第２摺動体、４８…復帰バネ、５５…第１作動片、５６…第２作動片、７１…ラッチ先端部、７２…ラッチ後端部、７３…軸状連結手段、７１ａ…ラッチ部分、７１ｂ…首部分、７５…嵌合穴、７７…筒状突起。
【図１】
2007186919.tif 000003
【図２】
2007186919.tif 000004
【図３】
2007186919.tif 000005
【図４】
2007186919.tif 000006
【図５】
2007186919.tif 000007
【図６】
2007186919.tif 000008
【図７】
2007186919.tif 000009
【図８】
2007186919.tif 000010
【図９】
2007186919.tif 000011
【図１０】
2007186919.tif 000012
【図１１】
2007186919.tif 000013
【図１２】
2007186919.tif 000014
【図１３】
2007186919.tif 000015
【図１４】
2007186919.tif 000016
【図１５】
2007186919.tif 000017
【図１６】
2007186919.tif 000018
【図１７】
2007186919.tif 000019
【図１８】
2007186919.tif 000020